(57)【特許請求の範囲】
【請求項１】
異なるコードチャネルのコードドメインパワーとコードドメインエラーパワーを分析する方法であって、
ＣＤＭＡシステムにより動作する移動無線システムにおいて送信される信号を受信する段階と、
前記信号を評価する段階と、
コードチャネルのコードドメインパワーを決定する段階と、
前記コードチャネルのコードドメインエラーパワーを決定する段階と、
前記コードドメインパワーとコードドメインエラーパワーを同時に表示する段階であって、一コードチャネルに関連する前記コードドメインエラーパワーと前記コードドメインパワーを互いに割り当ててそれぞれ表示する段階とを有し、
ＩブランチのコードドメインパワーとＱブランチのコードドメインパワーが前記コードドメインパワーとして決定され、Ｉブランチの各コードドメインパワーについて、及びＱブランチの各コードドメインパワーについて、対応するコードドメインエラーパワーを決定し、
前記Ｉブランチのコードドメインパワーとそれに関連する前記Ｉブランチのコードドメインエラーパワーが第１のダイヤグラムに表示され、前記Ｑブランチのコードドメインパワーとそれに関連する前記Ｑブランチのコードドメインエラーパワーが第２のダイヤグラムに表示され、
前記コードドメインパワーと前記コードドメインエラーパワーを、水平なｘ軸と垂直なｙ軸を有する各ダイヤグラムに表示し、
前記コードドメインパワーを前記ｙ軸に第１のスケールで前記ｙ軸の正方向に第１のバーにより表示し、
前記コードドメインエラーパワーを前記ｙ軸に第２のスケールで前記ｙ軸の負方向に第２のバーにより表示し、
前記第１のバーと第２のバーは前記ｘ軸の同じ位置に割り当てられ、
前記第１のスケールと第２のスケールが各ダイヤグラムの１つのｙ軸において互いに独立に調整されることを特徴とする、方法。
【請求項２】
前記コードドメインエラーパワーとコードドメインエラーパワーは前記評価される信号の同じ時間スロットから決定されることを特徴とする、請求項１に記載の方法。
【請求項３】
前記コードドメインエラーパワーを複数の選択可能なアルゴリズムのうちの一アルゴリズムに基づき決定されることを特徴とする、請求項１または２に記載の方法。
【請求項４】
信号を受信する受信装置と、前記信号を評価する評価装置と、コードチャネルのコードドメインパワーを決定する第２の決定装置と、前記コードチャネルのコードドメインエラーパワーを決定する第３の決定装置とを有する、異なるコードチャネルのコードドメインパワーとコードドメインエラーパワーを同時に表示する装置であって、
前記コードドメインパワーを決定する第２の決定装置は、ＩブランチのコードドメインパワーとＱブランチのコードドメインパワーが前記コードドメインパワーとして決定でき、Ｉブランチの各コードドメインパワーについて、及びＱブランチの各コードドメインパワーについて、対応するコードドメインエラーパワーが決定されるように設定され、
前記コードドメインパワーと前記コードドメインエラーパワーを同時に表示する表示装置は、
第１のダイヤグラムに、前記Ｉブランチのコードドメインパワーとそれに関連する前記Ｉブランチのコードドメインエラーパワーが表示され、第２のダイヤグラムに、前記Ｑブランチのコードドメインパワーとそれに関連する前記Ｑブランチのコードドメインエラーパワーが表示され、
前記コードドメインパワーと前記コードドメインエラーパワーを、水平なｘ軸と垂直なｙ軸を有する各ダイヤグラムに表示し、
前記コードドメインパワーを前記ｙ軸に第１のスケールで前記ｙ軸の正方向に第１のバーにより表示し、
前記コードドメインエラーパワーを前記ｙ軸に第２のスケールで前記ｙ軸の負方向に第２のバーにより表示でき、
前記ｘ軸の同じ位置の前記第１のバーと第２のバーは互いに反対に配置でき、
異なるコードチャネルのコードドメインパワーとコードドメインエラーパワーを同時に表示する装置は、前記第１のスケールと第２のスケールが各ダイヤグラムの１つのｙ軸において互いに独立に調整及び設定できるように設定される
ことを特徴とする、装置。
【請求項５】
前記コードドメインパワーを決定する第２の決定装置と、前記コードドメインエラーパワーを決定する第３の決定装置は、前記コードドメインパワーと前記コードドメインエラーパワーが前記評価された信号の同じ時間スロットから決定できるように、設定されることを特徴とする、請求項４に記載の装置。
【請求項６】
前記コードドメインエラーパワーを決定する第３の決定装置は、前記コードドメインエラーパワーが複数の選択可能なアルゴリズムのうちの一アルゴリズムに基づき決定できるように設定されることを特徴とする、請求項４または５に記載の装置。
【発明の詳細な説明】
【技術分野】
【０００１】
本発明は、コードドメインパワー（ＣＤＰ）とコードドメインエラーパワー（ＣＤＥＰ）を分析する方法と装置に関する。
【背景技術】
【０００２】
特許文献１は、コードドメインパワー（ＣＤＰ）の測定結果を表示する装置を開示している。この装置は図にバーの形態で測定結果を表示する。図は水平軸と垂直軸を有し、コードチャネルと拡散率を水平軸にプロットし、パワー測定値を垂直軸にプロットしている。バーの高さはコードチャネルのパワーを示す。一方、水平軸上でのその位置は、コードチャネルと拡散率を示す。アクティブコードチャネルのパワーの替わりに、インアクティブコードチャネルのノイズを図に表示することもできる。しかし、コードドメインエラーパワー（ＣＤＥＰ）は表示されない。それゆえ、アクティブコードチャネルが影響を受けるエラーは明らかではない。特に、エラーのパワーに対する比率が明らかではない。特に、エラーとパワーを比較することはできない。
【先行技術文献】
【特許文献】
【０００３】
【特許文献１】米国特許第７,１６２,３９６  Ｂ２号公報
【発明の概要】
【発明が解決しようとする課題】
【０００４】
それゆえ本発明は、チャネルのコードドメインパワー（ＣＤＰ）とコードドメインエラーパワー（ＣＤＥＰ）の比較が可能な方法と装置を提供するという目的に基づく。
【課題を解決するための手段】
【０００５】
この目的は、請求項１に記載した発明による方法と、請求項８に記載した発明による装置とにより達成される。
【０００６】
異なるコードチャネルのコードドメインパワー（ＣＤＰ）とコードドメインエラーパワー（ＣＤＥＰ）を分析する本発明による方法は、少なくとも１つの信号を受信する段階と、前記信号を評価する段階と、少なくとも１つのコードチャネルの少なくとも１つのコードドメインパワー（ＣＤＰ）を決定する段階と、前記コードチャネルの少なくとも１つのコードドメインエラーパワー（ＣＤＥＰ）を決定する段階と、少なくとも１つのチャネルの前記コードドメインパワー（ＣＤＰ）と前記コードドメインエラーパワー（ＣＤＥＰ）を同時に表示する段階とを有する。
【０００７】
この目的のため、異なるコードチャネルのコードドメインパワー（ＣＤＰ）とコードドメインエラーパワー（ＣＤＥＰ）を同時に表示する本発明による装置は、信号を受信する装置と、前記信号を評価する装置と、コードチャネルのコードドメインパワー（ＣＤＰ）を決定する装置と、前記コードチャネルのコードドメインエラーパワー（ＣＤＥＰ）を決定する装置と、前記コードドメインパワー（ＣＤＰ）と前記コードドメインエラーパワー（ＣＤＥＰ）を同時に表示する装置と、を有する。
【０００８】
測定する信号、例えば基地局のＣＤＭＡ信号を、信号を受信する装置で受信し、信号を測定する装置で測定する。測定値は信号を評価する装置で評価する。信号の評価により、コードチャネルのコードドメインパワー（ＣＤＰ）を、コードチャネルのコードドメインパワー（ＣＤＰ）を決定する装置により決定する。このコードチャネルの場合、コードチャネルのコードドメインエラーパワー（ＣＤＥＰ）を、コードドメインエラーパワー（ＣＤＥＰ）を決定する装置により決定する。決定したコードドメインパワー（ＣＤＰ）と決定したコードドメインエラーパワー（ＣＤＥＰ）は、コードドメインパワー（ＣＤＰ）とコードドメインエラーパワー（ＣＤＥＰ）を同時に表示する装置により、同時に表示される。
【０００９】
同時に表示することにより、コードチャネルのコードドメインパワー（ＣＤＰ）とコードドメインエラーパワー（ＣＤＥＰ）の間の関係を概観することができる。両方の値の比較が可能となり、容易になる。表示のタイプは様々なタイプから選択できる。例えば、異なるスケールや色などを選択して、ユーザやアプリケーションにマッチさせることができる。
【００１０】
従属項は、本発明による方法と、本発明による装置の有利な実施形態を示す。
【００１１】
必要に応じて、コードドメインパワー（ＣＤＰ）とコードドメインエラーパワー（ＣＤＥＰ）を、評価した信号の同じ時間スロットからそれぞれ決定する。したがって、決定したコードドメインパワー（ＣＤＰ）と決定したコードドメインエラーパワー（ＣＤＥＰ）を実際に互いに関連させ、同じデータに基づき求める。さらに、このようにして、高いレートで実際に関連しているデータを更新することができる。この目的のため、コードドメインパワー（ＣＤＰ）を決定する装置と、コードドメインエラーパワー（ＣＤＥＰ）を決定する装置は、コードドメインパワー（ＣＤＰ）とコードドメインエラーパワー（ＣＤＥＰ）が、評価した信号の同じ時間スロットから決定できるように、構成される。
【００１２】
必要に応じて、（例えば、ユーザにより直接的に、またはアルゴリズムを選択する装置によるプログラムにより間接的に、）選択可能な複数のアルゴリズムのうちの一アルゴリズムに基づきコードドメインエラーパワー（ＣＤＥＰ）を決定する。これらはバッファに格納され、必要に応じてロードされ得る。例えば、どのアルゴリズムをロードするかのユーザエントリにより選択を行う。この場合、この選択は、コードドメインパワーを決定するアルゴリズムの決定とは独立である。
【００１３】
このように、アルゴリズムを選択して、アプリケーションやユーザの関心に適応させることができる。この目的のため、コードドメインエラーパワー（ＣＤＥＰ）を決定する装置は、コードドメインエラーパワー（ＣＤＥＰ）が複数の選択可能なアルゴリズムのうちの一アルゴリズムに基づき決定できるように構成される。必要に応じて、コードドメインパワー（ＣＤＰ）とコードドメインエラーパワー（ＣＤＥＰ）を同時に表示する装置は、この目的のために、アルゴリズムを選択する装置も有する。
【００１４】
必要に応じて、コードドメインパワー（ＣＤＰ）とコードドメインエラーパワー（ＣＤＥＰ）を、水平なｘ軸と垂直なｙ軸を有するダイヤグラムに表示する。コードドメインパワー（ＣＤＰ）は第１のスケールでｙ軸の正方向の第１のバーで表示される。コードドメインエラーパワー（ＣＤＥＰ）は第２のスケールでｙ軸の負方向の第２のバーで表示される。第１のバーと第２のバーは互いに反対に配置される。したがって、実際に関連するデータ（ＣＤＰとＣＤＥＰ）の簡潔で論理的に構成された同時表示が可能となる。この目的のため、コードドメインパワー（ＣＤＰ）とコードドメインエラーパワー（ＣＤＥＰ）を同時に表示する装置は、コードドメインパワー（ＣＤＰ）とコードドメインエラーパワー（ＣＤＥＰ）を水平なｘ軸と垂直なｙ軸を有するダイヤグラムに表示できるように構成される。コードドメインパワー（ＣＤＰ）は第１のスケールでｙ軸の正方向の第１のバーで表示できる。コードドメインエラーパワー（ＣＤＥＰ）は第２のスケールでｙ軸の負方向の第２のバーで表示できる。第１のバーと第２のバーは互いに反対に配置する。
【００１５】
必要に応じて、第１のスケール及び／または第２のスケールは個別に、すなわち互いに独立に調整される。この調整により、個々のデータ（ＣＤＰとＣＤＥＰ）の表示のスケールとサイズをユーザが決めたように調整できる。したがって、ユーザは、値を正確に知りたければ、表示を拡大でき、表示全体を支配する値を知る必要がなければ、表示を縮小できる。この目的のため、異なるコードチャネルのコードドメインパワー（ＣＤＰ）とコードドメインエラーパワー（ＣＤＥＰ）を同時に表示する装置を、好ましくは、第１のスケール及び／または第２のスケールを互いに独立に調整できるように、構成する。
【００１６】
好ましくは、Ｉ分岐のコードドメインパワー（ＣＤＰ）、及び／またはＱ分岐のコードドメインパワー（ＣＤＰ）を、コードドメインパワー（ＣＤＰ）として決定する。このように、全信号のパワー構造を詳細に表示して、信号成分に分割することができる。
【００１７】
この目的のため、コードドメインパワー（ＣＤＰ）を決定する装置は、Ｉ分岐のコードドメインパワー（ＣＤＰ）をコードドメインパワー（ＣＤＰ）として決定できるように構成する。コードドメインエラーパワー（ＣＤＥＰ）を決定する装置は、Ｑ分岐のコードドメインパワー（ＣＤＰ）をコードドメインパワー（ＣＤＰ）として決定できるように構成する。
【００１８】
コードドメインパワー（ＣＤＰ）とコードドメインエラーパワー（ＣＤＥＰ）を同時に表示する、本発明による方法の好ましい実施形態を、図面に示し、以下に詳細に説明する。
【図面の簡単な説明】
【００１９】
図面は以下の通りである：
【図１】コードドメインパワー（ＣＤＰ）とコードドメインエラーパワー（ＣＤＥＰ）を分析する、本発明による方法を示すフローチャートである。
【図２】コードドメインパワー（ＣＤＰ）とコードドメインエラーパワー（ＣＤＥＰ）を分析し、同時に表示する、本発明による装置を示すブロック回路図である。
【図３】コードチャネルのコードドメインパワー（ＣＤＰ）を決定する第２の決定装置の構成を示す図である。
【図４】本発明による方法と本発明による装置によるコードドメインパワー（ＣＤＰ）とコードドメインエラーパワー（ＣＤＥＰ）の好ましい表示を示す図である。  図１と図２はそれぞれ、本発明による方法の実施形態例のフローチャートと、本発明による装置の実施形態例のブロック回路図とを示す図である。
【発明を実施するための形態】
【００２０】
異なるコードチャネルのコードドメインパワー（ＣＤＰ）とコードドメインエラーパワー（ＣＤＥＰ）を同時に表示する本発明による方法は、複数のステップ１０１-１０７を有する。異なるコードチャネルのコードドメインパワー（ＣＤＰ）とコードドメインエラーパワー（ＣＤＥＰ）を同時に表示する本発明による装置２００は、この目的のため、複数のステップ１０１-１０７を実施する複数の装置を有する。コードドメインパワー（ＣＤＰ）とコードドメインエラーパワー（ＣＤＥＰ）の分析と同時表示をする本発明による装置２００は、基地局２１０のＣＤＭＡ信号を受信（測定／時間ドメインでのサンプリング）し、高周波レンジからミキシングダウン（mixing down）し、ローパスフィルタをかける受信装置２０１を有する。このように処理した信号をバッファ２０８にバッファする。さらに、測定装置２００は次の要素を有する：さらに別の評価をするアルゴリズムを決定する第１の決定装置２０２、決定したアルゴリズムで信号を評価する評価装置２０３、コードチャネルのコードドメインパワー（ＣＤＰ）を決定する第２の決定装置２０４、（好ましくはＣＤＰの決定時に同時に、またはＣＤＰの決定後に）コードチャネルのコードドメインエラーパワー（ＣＤＥＰ）を決定する第３の決定装置２０５、スケールを決定する第４の決定装置２０６と、コードドメインパワー（ＣＤＰ）とコードドメインエラーパワー（ＣＤＥＰ）を同時に表示する表示装置２０７。第１の決定装置２０２と第４の決定装置２０６は制御装置２２６に含まれる。評価装置２０３と第２の決定装置２０４と第３の決定装置２０５は、制御装置２０９に含まれる。制御装置２０９は、本発明による装置２００の制御のためにユーザにより操作される。
【００２１】
バッファ２０８は、データ交換のために、本発明による装置２００のうち、すべての装置２０１−２０７に接続されている。さらに、第１の決定装置２０２と第２の決定装置２０４は、データまたは情報の交換のため互いに接続されている。第１の決定装置２０２と第３の決定装置２０５は、データまたは情報の交換のため互いに接続されている。第４の決定デバイス２０６と表示装置２０７は、データまたは情報の交換のため互いに接続されている。評価装置２０３と第２の決定装置２０４は、データまたは情報の交換のため互いに接続されている。第２の決定装置２０４と第３の決定装置２０５は、データまたは情報の交換のため互いに接続されている。バッファ２０８は、測定結果と、バッファ２０８に接続された装置により生成及び／または処理されたデータをバッファする。特に、バッファ２０８は、表示装置２０７の制御をする選択可能アルゴリズムとソフトウェアをバッファする。
【００２２】
本発明による装置は、ユーザとの通信のため、ディスプレイ（２０７）またはスクリーン（２０７）、及び、例えばキーボード、マウス、及び／または本発明による装置２００のフロントパネルにあるキーやロータリーノブを有する。これらは制御装置２２６に接続されている。
【００２３】
本方法は、信号を受信する受信装置２０１により、少なくとも１つの信号、好ましくは基地局２１０のＣＤＭＡ信号の受信から始まる（ステップ１０１）。信号の評価のため、第１の決定装置２０２によりアルゴリズムを決定する（ステップ１０２）。例えば、バッファ２０８に記憶された一組のアルゴリズムから選択する。信号は、それを評価する評価装置２０３で評価される（ステップ１０３）。評価した信号から、コードチャネルのコードドメインパワー（ＣＤＰ）を決定するために、第２の決定装置２０４により、コードチャネルの少なくとも１つのコードドメインパワー（ＣＤＰ）を決定する（ステップ１０４）。ＣＤＰ測定により、個々のコードチャネルによりパワー分布を分析する。さらに、コードチャネルのコードドメインエラーパワー（ＣＤＥＰ）を、第３の決定装置２０５により、好ましくは決定したアルゴリズムにより、評価した信号から決定する（ステップ１０５）。ＣＤＥＰはコードレンジにおけるエラー信号の分析である。すなわち、エラーパワーの個々のコードチャネルに対する投影である。コードドメインパワー（ＣＤＰ）とコードドメインエラーパワー（ＣＤＥＰ）の表示を形成するため、例えば、スケール２０６を決定し選択する第４の決定装置による選択により、好ましくは表示のスケールを決定する（ステップ１０６）。これは、プログラムにより自動的に、及び／またはユーザにより能動的に行われる。決定したコードドメインパワー（ＣＤＰ）と決定したコードドメインエラーパワー（ＣＤＥＰ）は、コードドメインパワー（ＣＤＰ）とコードドメインエラーパワー（ＣＤＥＰ）を同時に表示する表示装置２０７により、同時に表示される（ステップ１０７）。
【００２４】
同時に表示することにより（ステップ１０７）、コードチャネルのコードドメインパワー（ＣＤＰ）とコードドメインエラーパワー（ＣＤＥＰ）の間の値の比率の概観が可能となり容易になる。表示方法は様々なオプションから選択できる。例えば、特殊なスケール及び／または色及び／またはフィールド及び／またはフィールドのエッジ及び／またはバーの幅を選択できる。自動的に、コードドメインパワー（ＣＤＰ）及び／またはコードドメインエラーパワー（ＣＤＥＰ）に応じて、表示をアプリケーションに適応させ、または表示をユーザが能動的に選択する。
【００２５】
一実施形態では、コードドメインパワー（ＣＤＰ）とコードドメインエラーパワー（ＣＤＥＰ）は評価信号の同じ時間スロットからそれぞれ決定される（ステップ１０４、１０５）。これにより、決定したコードドメインパワー（ＣＤＰ）と決定したコードドメインエラーパワー（ＣＤＥＰ）を互いに関連させる。すなわち、同じデータに基づき求める。両方の値を１つの時間インターバルから決定できるので、２つの時間インターバルを用いる必要はない。２つの時間インターバルを用いると、ＣＤＰとＣＤＥＰの値を決定するために、不必要に長い時間インターバルがかかり、または測定値のサンプリング値が極端に小さくなり、ＣＤＰとＣＤＥＰが互いに関連しなくなってしまう。このように、満足できる測定値のサンプリングサイズで高いレートで関連しているデータを更新できる。
【００２６】
コードドメインパワー（ＣＤＰ）を決定する第２の決定装置２０４と、コードドメインエラーパワー（ＣＤＥＰ）を決定する第３の決定装置２０５は、この目的のために設計されており、１つの時間インターバルまたは評価した信号の時間スロットにおける測定値に基づき、コードドメインパワー（ＣＤＰ）とコードドメインエラーパワー（ＣＤＥＰ）がそれぞれ決定できるようになっている。この目的のため、装置２０４と２０５は、信号の評価をする評価装置２０３から得られるデータを共通に用いる。
【００２７】
コードドメインエラーパワー（ＣＤＥＰ）は、好ましくはアルゴリズムに基づき決定される。このアルゴリズムは一組の複数のアルゴリズムから選択できる（ステップ１０５）。コードドメインパワー（ＣＤＰ）とコードドメインエラーパワー（ＣＤＥＰ）を同時に表示する装置は、好ましくは、この目的のために、アルゴリズムを選択する第１の選択装置２０２を有する。ユーザは利用可能な複数のアルゴリズムから直接的または間接的にアルゴリズムを選択する。直接的に選択する場合、ユーザは、どのタイプのコードドメインエラーパワー（ＣＤＥＰ）を決定すべきかを示す。
【００２８】
コードドメインパワー（ＣＤＰ）とコードドメインエラーパワー（ＣＤＥＰ）の表示のタイプも、自動的またはユーザにより選択される。必要に応じて、コードドメインパワー（ＣＤＰ）とコードドメインエラーパワー（ＣＤＥＰ）は、水平なｘ軸と垂直なｙ軸を有するｘ−ｙグラフに表示される。コードドメインパワー（ＣＤＰ）は、好ましくは、第１のスケールで、ｙ軸の正の方向に第１の色の第１のバーで表示される。同様にコードドメインエラーパワー（ＣＤＥＰ）は、好ましくは、第２のスケールで、ｙ軸の負の方向に第２の色の第２のバーで表示される。第１のバーと第２のバーは好ましくは互いに反対に配置される。必要に応じて、第１のスケール及び／または第２のスケールは互いに独立に調整される。バーの幅、第１の色、第２の色も各ケースに合わせて選択できる。互いに反対に配置する替わりに、任意的に、すなわち選択できるように、バーを横に並べて配置してもよい。バーの替わりに単純な線を選択して用いてもよい。各ケースにおいて、選択動作は、スケールを選択する第４の選択装置２０６により行われることが好ましい。原理的に、実際に関連するデータ（ＣＤＰとＣＤＥＰ）を単純かつ論理的に構成して同時表示でき、例えばユーザによる柔軟な変更もできる。コードドメインパワー（ＣＤＰ）とコードドメインエラーパワー（ＣＤＥＰ）の同時表示をする表示装置２０７により説明した変更可能な表示を行う（ステップ１０７）。
【００２９】
好ましくは、Ｉ分岐のコードドメインパワー（ＣＤＰ）、及び／またはＱ分岐のコードドメインパワー（ＣＤＰ）を、コードドメインパワー（ＣＤＰ）として決定する。各コードドメインパワー（ＣＤＰ）に対してコードドメインエラーパワー（ＣＤＥＰ）がＩ分岐のものかＱ分岐のものか決定する。各ＣＤＰについて、それに対応する、すなわち関連するＣＤＥＰを決定する。上記の通り、これらの関連するＣＤＰとＣＤＥＰをそれぞれ表示する。このように、全信号（total signal）のパワー構造（個々のチャネルと分岐の間の総パワーの分布）を、信号コンポーネント（チャネルと分岐）に分割して、完全に表示することができる。Ｉ分岐及び／またはＱ分岐のコードドメインパワー（ＣＤＰ）をコードドメインパワー（ＣＤＰ）として決定できるように、コードドメインパワー（ＣＤＰ）を決定する第２の決定装置２０４を構成する。
【００３０】
図３は、第２の決定装置２０４がコードチャネルのコードドメインパワー（ＣＤＰ）をいかに決定するか示す。第２の決定装置２０４は、Ｉ／Ｑ復調器４１、第１のフィルタ４２、第２のフィルタ４２′、第１のプロセッサ４３、第２のプロセッサ４３′、第１のＣＤＰ計算器４４、及び第２のＣＤＰ計算器４４′を有する。Ｉ／Ｑ復調器４１は、信号を、第１のフィルタ４２に送られるＩ信号と、第２のフィルタ４２′に送られるＱ信号とに分岐する。各ケースにおいて、第１のフィルタ４２と第２のフィルタ４２′は、受信した信号から得た振幅情報と位相情報を、第１のプロセッサ４３と第２のプロセッサ４３′にそれぞれ送る。第１のプロセッサ４３と第２のプロセッサ４３′は、受信信号を復号、逆拡散し、その結果を第１のＣＤＰ計算器４４または第２のＣＤＰ計算器４４′にそれぞれ送る。第１のＣＤＰ計算器４４と第２のＣＤＰ計算器４４′は、Ｉ信号（Ｉ分岐）またはＱ信号（Ｑ分岐）のコードドメインパワー（ＣＤＰ）を計算する。
【００３１】
図４は、バーダイヤグラムにおけるバーの形式でＣＤＰ値とＣＤＥＰ値の表示を示す。この表示は、上記の本発明による装置の実施形態により実施できる、上記の本発明による方法の実施形態により決定される。
【００３２】
第１のダイヤグラム１において、水平な第１のｘ軸３と、垂直な第１のｙ軸４を示した。コードチャネルは水平な第１のｘ軸３に配置される。垂直な第１のｙ軸は、第１の部分５と第２の部分６に分割されている。第１の部分５は、ＣＤＰ値の表示の第１のスケールを提供する。第２の部分６は、ＣＤＥＰ値の表示のスケールを提供する。各ケースにおいて、第１のアクティブなコードチャネル７８と第１のアクティブなコードチャネル９１０のＣＤＰとそれに関連するＣＤＥＰは、第１のダイヤグラム１に表示される。第１のアクティブコードチャネル７８は、第１のバー７の形式で第１のＣＤＰを提供し、第２のバー８の形式で第１のＣＤＥＰを提供する。第１の非アクティブコードチャネル９１０は、第３のバー９の形式で第１のＣＤＰを提供し、第４のバー１０の形式で第２のＣＤＥＰを提供する。第１のアクティブコードチャネル７８はアクティブコードチャネルのグループαに含まれる。
【００３３】
比較的拡散率が低い上位コードチャネル（superordinate  codechannel）に割り当てられる、コードチャネルのグループαの各チャネルのパワーを表示する替わりに、アクティブコードチャネルのグループαの総パワーを１つのバーの形式で表示することもできる。このアクティブコードチャネルのグループαの総パワーについて、（例えば、個々のＣＤＰを合計することにより）関連するＣＤＥＰを決定して、１つの別のバーの形式で表示することもできる。アクティブコードチャネルのグループαの総パワーは、１つのコードチャネルのパワーと同様に決定される。総パワーＣＤＰ（α）とそれに関連するＣＤＥＰ（ＣＤＰ（α））と同様に、または決定と表示のために、説明した方法と装置を用いることができる。
【００３４】
同様に、水平な第２のｘ軸１１と垂直な第２のｙ軸１２を第２のダイヤグラム２に示した。水平な第２のｘ軸３はコードチャネルを示し、垂直な第２のｙ軸は第３の部分１３と第４の部分１４に分けられている。第３の部分１３はＣＤＰ値の表示用の第３のスケールを与え、第４の部分１４はＣＤＥＰ値の表示用の第４のスケールを与える。第２のダイヤグラム２において、ＣＤＰとそれに割り当てられたＣＤＥＰは、第２のアクティブチャネル１５１６のものと、第２の非アクティブコードチャネル１７１８のものを表示した。第２のアクティブコードチャネル１５１６は、第５のバー１５の形式で第３のＣＤＰを与え、第６のバー１６の形式で第３のＣＤＥＰを与える。第２の非アクティブコードチャネル１７１８は、第７のバー１７の形式で第４のＣＤＰを与え、第８のバー１８の形式で第４のＣＤＥＰを与える。
【００３５】
第１のダイヤグラム１と第２のダイヤグラム２は同じコードチャネルに関するものである。第１のダイヤグラム１において、ＣＤＰ値と、そのＩ分岐に関連するＣＤＥＰ値をコードチャネルに対して表示する。逆に、第２のダイヤグラム２において、ＣＤＰ値と、そのＱ分岐に関連するＣＤＥＰ値をコードチャネルに対して表示する。両ダイヤグラム１、２において、各ＣＤＰはそれに関連するＣＤＥＰの反対に配置されている。
【００３６】
必要に応じて、値−１２８ｄＢをｙ軸のゼロ点に割り当て、第１の部分５、第２の部分６、第１の部分１３、第４の部分１４はこのゼロ点から０ｄＢまではみ出す。必要に応じて、両ダイヤグラム１、２において、両ｙ軸に同じスケールを用いてもよい。あるいは、ゼロ点にその他の負値を割り当ててもよい。部分（５、６、１３、１４）の長さは可変である。
【００３７】
図４は、第２の決定装置２０４がコードドメインパワー（ＣＤＰ）をいかに決定するか（ステップ１０４）示す。第２の決定装置２０４は、Ｉ／Ｑ復調器４１、第１のフィルタ４２、第２のフィルタ４２′、第１のプロセッサ４３、第２のプロセッサ４３′、第１のＣＤＰ計算器４４、及び第２のＣＤＰ計算器４４′を有する。Ｉ／Ｑ復調器４１は、信号を、第１のフィルタ４２に送られるＩ信号と、第２のフィルタ４２′に送られるＱ信号とに分岐する。第１のフィルタ４２と第２のフィルタ４２′は、それぞれのケースにおいて、受信した信号から得た振幅情報と位相情報を、第１のプロセッサ４３と第２のプロセッサ４３′にそれぞれ送る。第１のプロセッサ４３と第２のプロセッサ４３′は、受信信号を復号、逆拡散し、その結果を第１のＣＤＰ計算器４４または第２のＣＤＰ計算器４４′にそれぞれ送る。第１のＣＤＰ計算器４４と第２のＣＤＰ計算器４４′は、Ｉ信号（Ｉ分岐）またはＱ信号（Ｑ分岐）のコードドメインパワー（ＣＤＰ）を計算する。非アクティブチャネルはノイズパワーを与える。これはバーとして表示される。
【００３８】
本発明は表示された実施例には限定されない。逆に、個々の実施例の特徴を互いに組み合わせることができる。
上記の実施形態について、次の付記を記す。
（付記１）  異なるコードチャネルのコードドメインパワー（ＣＤＰ）とコードドメインエラーパワー（ＣＤＥＰ）を分析する方法であって、
ＣＤＭＡシステムにより動作する移動無線システムにおいて送信される信号を受信する段階（１０１）と、
前記信号を評価する段階（１０３）と、
コードチャネルのコードドメインパワー（ＣＤＰ）を決定する段階（１０４）と、
前記コードチャネルのコードドメインエラーパワー（ＣＤＥＰ）を決定する段階（１０５）と、
前記コードドメインパワー（ＣＤＰ）と前記コードドメインエラーパワー（ＣＤＥＰ）を同時に表示する段階（１０７）であって、１つのコードチャネルに関連する前記コードドメインエラーパワー（ＣＤＥＰ）と前記コードドメインエラーパワー（ＣＤＰ）を互いに割り当てて表示する段階とを有することを特徴とする、方法。
（付記２）  前記コードドメインパワー（ＣＤＰ）と前記コードドメインエラーパワー（ＣＤＥＰ）は前記評価した信号の同じ時間スロットからそれぞれ決定されることを特徴とする、付記１に記載の方法。
（付記３）  前記コードドメインエラーパワー（ＣＤＥＰ）を複数の選択可能なアルゴリズムのうちの一アルゴリズムに基づき決定することを特徴とする、付記１または２に記載の方法。
（付記４）  前記コードドメインパワー（ＣＤＰ）と前記コードドメインエラーパワー（ＣＤＥＰ）を、水平なｘ軸（３、１１）と垂直なｙ軸（４、１２）を有するダイヤグラムに表示し、
前記コードドメインパワー（ＣＤＰ）を第１のスケールでｙ軸の正方向に第１のバー（７、９、１５、１７）により表示し、
前記コードドメインエラーパワー（ＣＤＥＰ）を第２のスケールでｙ軸の負方向に第２のバー（８、１０、１６、１８）により表示し、
前記第１のバー（７、９、１５、１７）と第２のバー（８、１０、１６、１８）は前記ｘ軸の同じ一に割り当てることを特徴とする、付記１ないし３いずれか一項に記載の方法。
（付記５）  前記第１のスケール及び／または前記第２のスケールは互いに独立に調整されることを特徴とする、付記４に記載の方法。
（付記６）  Ｉ分岐のコードドメインパワー（ＣＤＰ）を前記コードドメインパワー（ＣＤＰ）として決定する、付記１ないし５いずれか一項に記載の方法。
（付記７）  Ｑ分岐のコードドメインパワー（ＣＤＰ）を前記コードドメインパワー（ＣＤＰ）として決定することを特徴とする、付記１ないし６いずれか一項に記載の方法。
（付記８）  異なるコードチャネルのコードドメインパワー（ＣＤＰ）とコードドメインエラーパワー（ＣＤＥＰ）を同時に表示する装置であって、
信号を受信する受信装置（２０１）と、
前記信号を評価する評価装置（２０３）と、
コードチャネルのコードドメインパワーを決定する第２の決定装置（２０４）と、
前記コードチャネルのコードドメインエラーパワー（ＣＤＥＰ）を決定する第３の決定装置（２０５）と、
前記コードドメインパワー（ＣＤＰ）と前記コードドメインエラーパワー（ＣＤＥＰ）を同時に表示する表示装置（２０７）と、を有することを特徴とする、装置。
（付記９）  前記コードドメインパワー（ＣＤＰ）を決定する前記第２の決定装置（２０４）と、前記コードドメインエラーパワー（ＣＤＥＰ）を決定する前記第３の決定装置（２０５）は、前記コードドメインパワー（ＣＤＰ）と前記コードドメインエラーパワー（ＣＤＥＰ）が前記評価した信号の同じ時間スロットから決定できるように、構成されることを特徴とする、付記８に記載の装置。
（付記１０）  前記コードドメインエラーパワー（ＣＤＥＰ）を決定する前記第３の決定装置（２０５）は、前記コードドメインエラーパワー（ＣＤＥＰ）が複数の選択可能なアルゴリズムのうちの一アルゴリズムに基づき決定できるように構成されることを特徴とする、付記８または９に記載の装置。
（付記１１）  前記コードドメインパワー（ＣＤＰ）と前記コードドメインエラーパワー（ＣＤＥＰ）を同時に表示する表示装置（２０７）は、
前記コードドメインパワー（ＣＤＰ）と前記コードドメインエラーパワー（ＣＤＥＰ）を、水平なｘ軸と垂直なｙ軸を有するダイヤグラム（１、２）に表示し、
前記コードドメインパワー（ＣＤＰ）を第１のスケールでｙ軸の正方向に第１のバー（７、９、１５、１７）により表示し、
前記コードドメインエラーパワー（ＣＤＥＰ）を第２のスケールでｙ軸の負方向に第２のバー（８、１０、１６、１８）により表示し、
前記第１のバーと前記第２のバーは互いに反対に配置されるように、構成されることを特徴とする、付記８ないし１０いずれか一項に記載の装置。
（付記１２）  異なるコードチャネルのコードドメインパワー（ＣＤＰ）とコードドメインエラーパワー（ＣＤＥＰ）を同時に表示する装置を、前記第１のスケール及び／または前記第２のスケールを互いに独立に調整できるように、構成することを特徴とする、付記１１に記載の装置。
（付記１３）  前記コードドメインパワー（ＣＤＰ）を決定する前記第３の決定装置（２０５）は、Ｉ分岐のコードドメインパワー（ＣＤＰ）を前記コードドメインパワー（ＣＤＰ）として決定できるように構成することを特徴とする、付記８ないし１２いずれか一項に記載の装置。
（付記１４）  前記コードドメインエラーパワー（ＣＤＥＰ）を決定する前記第３の決定装置（２０５）は、Ｑ分岐のコードドメインパワー（ＣＤＰ）を前記コードドメインパワー（ＣＤＰ）として決定できるように構成することを特徴とする、付記８ないし１３いずれか一項に記載の装置。
【符号の説明】
【００３９】
２００  測定装置
２０１  受信装置
２０２  第１の決定装置
２０３  評価装置
２０４  第２の決定装置
２０５  第３の決定装置
２０６  第４の決定装置
２０７  表示装置
２０８  バッファ
２０９  制御装置
２１０  基地局
【図１】
0005830112.tif 000002
【図２】
0005830112.tif 000003
【図３】
0005830112.tif 000004
【図４】
0005830112.tif 000005